(57)【要約】【課題】天井穴を介して溢れ出したドレンが天井穴を囲む外側環状壁の内側に溜まってモータ本体へ接近してしまうことを抑制きるドレンポンプを提供すること。【解決手段】ドレンポンプ１は、内側にポンプ室１４が区画されたポンプケース１１と、ポンプ室１４の天井に設けられた天井穴１６を貫通して上方に突出する軸部１７を有する羽根車１２と、ポンプケース１１の上方に配置されたモータ本体４を有する。ポンプケース１１は、天井穴１６を備える上側ポンプケース４１と、下側から上側ポンプケース４１に重ねられてポンプ室１４を区画する下側ポンプケース４２を備える。上側ポンプケース４１は、天井穴１６を包囲する外側環状壁４８と、上端開口が外側環状壁４８の内側に位置し、下端開口が下側ポンプケース４２の外側に露出している排水穴７９を有する。外側環状壁４８の内側に溜まったドレンＤは排水穴７９から排出される。【選択図】図３
2013177864.tif 000002
【特許請求の範囲】
【請求項１】
内側にポンプ室が区画されているポンプケースと、前記ポンプ室に配置された羽根車本体および当該ポンプ室の天井に設けられた天井穴を貫通して前記ポンプケースの外側に突出する軸部を有する羽根車と、ポンプケースの上方に配置されているモータ本体および当該モータ本体から下方に突出して前記軸部に同軸に連結されている出力軸を有するモータ部とを備えるドレンポンプにおいて、
前記ポンプケースは、前記天井穴を備える上ケースと、軸線方向の下側から前記上ケースに重ねられて当該上ケースとともに前記ポンプ室を区画している下ケースとを備え、
前記上ケースは、前記ポンプ室よりも外周側で前記天井穴を包囲して上方に突出する環状壁と、前記ポンプ室よりも外周側で当該上ケースを上下に貫通する排水穴とを備え、
前記排水穴の上端開口は、前記環状壁の内側に位置しており、
前記排水穴の下端開口は、前記下ケースによって塞がれていないことを特徴とするドレンポンプ。
【請求項２】
請求項１において、
前記下ケースおよび前記上ケースは、バヨネット機構によって着脱可能に締結されており、
前記バヨネット機構は、締結部として、前記下ケースの側面から半径方向外側に突出する係合突部と、前記上ケースに設けられた係合片とを備え、
前記係合片は、前記係合突部の半径方向の外側で下方に延びる延設部および当該延設部の下端から半径方向を内側に延びて前記係合突部の下側に当接する係合爪部を備え、
前記上ケースは、樹脂成形品であり、軸線方向から見たときに前記係合爪部と重なる部位を含み当該部位よりも周方向に長く形成された長穴を備え、
前記長穴の周方向の端部分が前記排水穴となっていることを特徴とするドレンポンプ。
【請求項３】
請求項２において、
前記バヨネット機構は、複数の前記締結部を備え、
前記排水穴として、複数の排水穴を備えていることを特徴とするドレンポンプ。
【請求項４】
請求項３において、
複数の前記締結部は、等角度間隔で設けられていることを特徴とするドレンポンプ。
【請求項５】
請求項３または４において、
前記バヨネット機構は、前記係合片および前記係合片の一方に周方向から他方に当接して前記上ケースと前記下ケースの相対角度位置を規定する位置決め部を前記係合片および前記係合片の他方に備えており、
前記位置決め部は、前記複数の締結部のうちの一つの締結部に設けられていることを特徴とするドレンポンプ。
【請求項６】
請求項１において、
前記排水穴は、等角度間隔で複数設けられていることを特徴とするドレンポンプ。
【請求項７】
請求項１ないし６のうちのいずれかの項において、
前記下ケースは、前記ポンプ室に吸い上げたドレンを排出するための吐出管を備えており、
前記吐出管は、前記軸線と交差する方向に延びており、
前記排水穴と、前記吐出管とは、軸線回りの異なる角度位置に配置されていることを特徴とするドレンポンプ。
【請求項８】
請求項１ないし７のうちのいずれかの項において、
前記軸部において前記ポンプケースの外側に位置している軸部分には、半径方向に広がる板部を備える水切り部材が取り付けられており、
前記板部は、前記上端開口よりも上方に位置していることを特徴とするドレンポンプ。
【発明の詳細な説明】
【技術分野】
【０００１】
本発明は、ドレンパンに溜まるドレン（排水）を排出するためのドレンポンプに関する。より詳細には、ポンプ室を区画しているポンプケースに形成された天井穴から溢れ出したドレンが上方に配置されたモータ部にかかることを抑制できるドレンポンプに関する。
【背景技術】
【０００２】
エアコンの室内ユニットでは冷房時や除湿時に蒸発器よって室内ユニット内で発生するドレンをドレンパンで受けており、ドレンパンに溜まったドレンをドレンポンプによって吸い上げて、室外に排出している。
【０００３】
特許文献１に記載のドレンポンプは、内側にポンプ室が区画されているポンプケースと、ポンプ室に配置された羽根車本体およびポンプ室の天井に設けられた天井穴を貫通して上方に突出する軸部を備える羽根車と、ポンプケースの上方に配置されているモータ本体およびモータ本体から下方に突出して羽根車の軸部に同軸に連結されている出力軸を有するモータ部を有している。モータ部によって羽根車が回転駆動されると、ポンプ室内でドレンが攪拌され、これにより発生する遠心力によってポンプ室の下端に設けられた吸引口からドレンパンのドレンをポンプ室内に吸い上げ、ポンプ室の上側部分の側方に連通する吐出管から吐き出す。吐出管にはドレン管が接続されており、ドレンは吐出管からドレン管を介して室外に排出される。同文献のドレンポンプでは、ポンプケースは、天井穴を備える上ケースと、軸線方向の下側から上ケースに重ねられて上ケースとともにポンプ室を区画している下ケースを有している。また、上ケースはポンプ室の外周側で天井穴を包囲して上方に突出する環状壁を備えている。
【先行技術文献】
【特許文献】
【０００４】
【特許文献１】特開２００８−１１６１１１号公報
【発明の概要】
【発明が解決しようとする課題】
【０００５】
このようなドレンポンプでは、モータ部が停止して羽根車の回転が止まると、ドレン管の側から吐出管を介してポンプ室に向ってドレンが逆流することがある。また、ドレンが逆流すると、ポンプ室から天井穴を介してドレンが上方に溢れ出すことがある。ここで、特許文献１のドレンポンプは、天井穴の周囲に環状壁を備えているので、上ケースの剛性を確保することができるとともに、環状壁によってポンプ室の側で発生して外部に漏れるポンプ音を抑制することができる。しかし、天井穴を介して溢れ出したドレンが環状壁の内側に溜まり、環状壁内のドレンの水面が上昇してモータ本体に接近してモータ本体を濡らしてしまう危険性がある。モータ本体が濡れると、漏電やモータ部の動作不良を発生させる原因となる。
【０００６】
このような問題点に鑑みて、本発明の課題は、天井穴を介して溢れ出したドレンが当該天井穴を囲む環状壁の内側に溜まってモータ本体へ接近してしまうことを抑制することができるドレンポンプを提供することにある。
【課題を解決するための手段】
【０００７】
上記課題を解決するために、本発明は、内側にポンプ室が区画されているポンプケースと、前記ポンプ室に配置された羽根車本体および当該ポンプ室の天井に設けられた天井穴を貫通して前記ポンプケースの外側に突出する軸部を有する羽根車と、ポンプケースの上方に配置されているモータ本体および当該モータ本体から下方に突出して前記軸部に同軸に連結されている出力軸を有するモータ部とを備えるドレンポンプにおいて、前記ポンプケースは、前記天井穴を備える上ケースと、軸線方向の下側から前記上ケースに重ねられて当該上ケースとともに前記ポンプ室を区画している下ケースとを備え、前記上ケースは、前記ポンプ室よりも外周側で前記天井穴を包囲して上方に突出する環状壁と、前記ポンプ室よりも外周側で当該上ケースを上下に貫通する排水穴とを備え、前記排水穴の上端開口は、前記環状壁の内側に位置しており、前記排水穴の下端開口は、前記下ケースによって塞がれていないことを特徴とする。
【０００８】
本発明によれば、天井穴から上方に溢れ出して環状壁の内側に溜まるドレンを、排水穴を介して下ケースの外側に排出することができる。この結果、環状壁の内側に溜まるドレンの水面が環状壁の上端位置に接近することを抑制できるので、ドレンがポンプケースの上方に位置するモータ本体に接近することを抑制できる。従って、モータ本体が濡れてしまうことを抑制できる。
【０００９】
本発明において、前記下ケースおよび前記上ケースは、バヨネット機構によって着脱可能に締結されており、前記バヨネット機構は、締結部として、前記下ケースの側面から半径方向外側に突出する係合突部と、前記上ケースに設けられた係合片とを備え、前記係合片は、前記係合突部の半径方向の外側で下方に延びる延設部および当該延設部の下端から半径方向を内側に延びて前記係合突部の下側に当接する係合爪部を備え、前記上ケースは、樹脂成形品であり、軸線方向から見たときに前記係合爪部と重なる部位を含み当該部位よりも周方向に長く形成された長穴を備え、前記長穴の周方向の端部分が前記排水穴となっていることが望ましい。このような構成によれば、上ケースと下ケースはバヨネット機構によって締結されているので、これらの着脱が容易である。従って、例えば、ポンプ室内にゴミなどが体積した場合でも、これらを除去することが容易となる。ここで、軸線方向で上下に２分割されている金型を用いて樹脂製の上ケースを成形する場合において、上ケースが下方に延びる延設部と延設部の下端から半径方向を内側に延びる係合爪部を備える係合片を有する場合には、上側に配置される金型には、係合片を形成するために下方に突出する突出部分が設けられ、当該突出部分の外周面および下面が、係合片の延設部の内周面と係合爪部の上面を形成する。そして、この金型の突出部分は、成形時に、上ケースにおいて軸線方向から見たときに係合爪部と重なる部位に長穴を形成する。従って、金型における突出部分を係合片に対応する形状よりも周方向に長くするだけで、締結部よりも周方向に長い長穴を形成することができ、この長穴の周方向の端部分を排水穴とすることができる。すなわち、排水穴を形成するための金型の構成を簡略化することができる。
【００１０】
本発明において、前記バヨネット機構は、複数の前記締結部を備え、前記排水穴として、複数の排水穴を備えていることが望ましい。この場合には、複数の前記締結部は、等角度間隔で設けられていることが望ましい。このようにすれば、排水穴が全周に渡って離間して設けられるので、ドレンポンプが傾斜して設置されている場合でも、環状壁内に溜まるドレンを排水穴から排出することが容易である。
【００１１】
本発明において、前記バヨネット機構は、前記係合片および前記係合片の一方に周方向から他方に当接して前記上ケースと前記下ケースの相対角度位置を規定する位置決め部を前記係合片および前記係合片の他方に備えており、前記位置決め部は、前記複数の締結部のうちの一つの締結部に設けられていることが望ましい。バヨネット機構が上ケースと下ケースの相対角度位置を規定する位置決め用突部を備える場合には、係合片または係合片に位置決め部を設けると、この位置決め部によって排水穴を形成することが困難となったり、排水穴の開口面積が狭くなったりすることがある。かかる問題に対して、位置決め部を複数の締結部のうちの一つの締結部に設ければ、位置決め部が設けられていない他の締結部の近傍では、排水穴の形成が困難とはならず、排水穴の開口面積として十分な面積を確保することができる。
【００１２】
本発明において、前記排水穴は、等角度間隔で複数設けられていることが望ましい。このようにすれば、ドレンポンプが傾斜して設置されている場合でも、環状壁内に溜まるドレンを排水穴から排出することが容易である。
【００１３】
本発明において、前記下ケースは、前記ポンプ室に吸い上げたドレンを排出するための吐出管を備えており、前記吐出管は、前記軸線と交差する方向に延びており、前記排水穴と、前記吐出管とは、軸線回りの異なる角度位置に配置されていることが望ましい。このようにすれば、排水穴から下ケースの外側に排出されたドレンが吐出管を伝ってドレンパンの外側に達してしまうことを防止できる。
【００１４】
本発明において、前記軸部において前記ポンプケースの外側に位置している軸部分には、半径方向に広がる板部を備える水切り部材が取り付けられており、前記板部は、前記上端開口よりも上方に位置していることが望ましい。このようにすれば、天井穴から上方に溢れ出して環状壁の内側に溜まるドレンがモータ本体の側に飛散することを抑制しながら、ドレンを排水穴から排出できる。
【発明の効果】
【００１５】
本発明によれば、天井穴から上方に溢れ出して環状壁の内側に溜まるドレンを、上ケースに設けられた排水穴を介して下ケースの外側に排出することができる。この結果、環状壁の内側に溜まるドレンの水面が環状壁の上端位置に接近することを抑制できるので、ドレンがポンプケースの上方に位置するモータ本体に接近することを抑制できる。従って、モータ本体が濡れてしまうことを抑制でき、モータ本体が濡れることに起因する漏電やモータ部の動作不良を回避することができる。
【図面の簡単な説明】
【００１６】
【図１】本発明を適用したドレンポンプの平面図および概観斜視図である。
【図２】図１のＸ−Ｘ断面図である。
【図３】ポンプ部の斜視図である。
【図４】ポンプ部の底面図である。
【図５】上側ポンプケースの平面図および斜視図である。
【図６】下側ポンプケースの斜視図である。
【図７】羽根車の斜視図である。
【図８】ドレンポンプの動作を説明するための説明図である。
【図９】上側ポンプケースの成形に用いる金型の突出部分の説明図である。
【発明を実施するための形態】
【００１７】
以下に図面を参照して、本発明を適用したドレンポンプを説明する。
【００１８】
（全体構成）
図１（ａ）はドレンポンプの平面図であり、図１（ｂ）はドレンポンプの概観斜視図である。図２は図１（ａ）のＸ−Ｘ断面図である。図１に示すように、ドレンポンプ１は、エアコンの室内ユニット内において冷房時や除湿時に蒸発器よって室内ユニット内で発生するドレンＤを受けるドレンパン１００の上方に配置されている。
【００１９】
ドレンポンプ１は、ポンプ部２と、その駆動源となるモータ部３を有している。モータ部３は、ポンプ部２の上方に配置されたモータ本体４と、モータ本体４の下端面から下方に突出する出力軸５を有している。モータ本体４からは、ドレンポンプ１を室内ユニットに固定するための３本の取り付け腕６が上方に突出している。モータ本体４には、電力を供給するために配線７が接続されている。
【００２０】
ポンプ部２は下方に延びる吸引管８および側方に延びる吐出管９を備えている。吸引管８の下端は吸引口１０となっており、ドレンパン１００の内側に位置している。吐出管９にはドレン管１０１が接続されている。
【００２１】
図２に示すように、ポンプ部２は、樹脂製のポンプケース１１と、羽根車１２と、水切り部材１３を備えている。ポンプケース１１は吸引管８および吐出管９を備えており、内側にポンプ室１４が区画されている。羽根車１２は、ポンプ室１４に配置された羽根車本体１５と、ポンプ室１４の天井に設けられた天井穴１６を貫通してポンプケース１１の外側に突出する軸部１７を備えている。水切り部材１３は、軸線Ｌ方向と直交する方向に広がる環状板部１８を備えており、軸部１７の上端部分に取り付けられている。羽根車１２の軸部１７の上端面には軸線Ｌ方向に窪む凹部１９が設けられており、モータ部３の出力軸５が凹部１９内に圧入固定されることにより、出力軸５と羽根車１２は同軸に連結されている。従って、モータ部３が駆動すると、羽根車１２が回転駆動される。
【００２２】
（モータ部）
モータ本体４は、図２に示すように、樹脂製の下側モータケース２１および上側モータケース２２を備えている。下側モータケース２１は、円環状の底板２３と、底板２３の内周縁部分から上方に延びる筒部２４と、底板２３の外周縁部分から上方に延びる円環状壁２５と、円環状壁２５の下端部分から半径方向を外側に延びている円環状のフランジ２６を備えている。底板２３上には環状の回路基板２７が僅かな隙間を開けて支持されている。筒部２４は、軸線Ｌ方向の中程の外周面部分に円環状段部２８を備えており、この円環状段部２８には、ステータ２９が固定されている。ステータ２９は、半径方向に突出する複数本の突極を備えるステータコアと、各突極に巻き回されている駆動コイルを備える。
【００２３】
筒部２４の内周側には、軸線Ｌ方向で離れた位置に２つの環状の焼結含油軸受３０が取り付けられている。これらの焼結含油軸受３０には、出力軸５が回転自在の状態で支持されている。出力軸５の下側部分は下側モータケース２１から下方に突出しており、出力軸５の上端部分は筒部２４よりも上側に突出している。出力軸５の上端部分にはカップ形状のヨーク３１が開口部を下方に向けた状態で取り付けられており、内側を向いているヨーク３１の内周面には、周方向にＳ極とＮ極が交互に着磁されている円環状の永久磁石３２が取り付けられている。
【００２４】
上側モータケース２２は平面形状が円形の天井板３３と天井板３３の外周縁部分から下方に延びている外周壁３４と、外周壁３４の下端部分の４箇所から半径方向を外側に延びるように形成された固定部３５を備えている。固定部３５は外周壁３４の回りに等角度間隔で形成されており、上下方向に有頭の締結ネジ３６が貫通するネジ貫通穴３７を備えている。外周壁３４の軸線Ｌ方向の途中には段部が設けられている。上側モータケース２２は下側モータケース２１に上方から被せられ、その外周壁３４の内周面部分が下側モータケース２１の円環状壁２５の外周面に当接し、外周壁３４および固定部３５の下端面が下側モータケース２１のフランジ２６の上端面に当接した状態で、下側モータケース２１に重ねられている。ここで、下側モータケース２１のフランジ２６には有頭の締結ネジ３６の胴部を貫通させるネジ貫通穴３８が等角度間隔で４箇所に設けられている。取り付け腕６は天井板３３と外周壁３４の角部から上方に向かうように形成されている。
【００２５】
（ポンプケース）
図３（ａ）はポンプ部２を斜め上方から見た斜視図であり、図３（ｂ）はポンプ部２を斜め下方から見た斜視図である。図３（ａ）は、羽根車１２の軸部１７から水切り部材１３を取り外した状態を示している。図４はポンプ部２を下方から見た底面図である。図５（ａ）は上側ポンプケース４１の平面図であり、図５（ｂ）は上側ポンプケース４１を斜め下方から見た斜視図である。図６（ａ）は下側ポンプケース４２を斜め上方から見た斜視図であり、図６（ｂ）は下側ポンプケース４２を斜め下方から見た斜視図である。ポンプケース１１は、上側ポンプケース（上ケース）４１と、上側ポンプケース４１に対して軸線Ｌ方向の下側から重ねられて上側ポンプケース４１とともにポンプ室１４を区画している下側ポンプケース（下ケース）４２と、上側ポンプケース４１および下側ポンプケース４２を着脱可能に締結するバヨネット機構４３を備えている。上側ポンプケース４１と下側ポンプケース４２の間には、これらの間を液密状態にシールするシール部材としてＯリング４４（図２参照）が配置されている。
【００２６】
上側ポンプケース４１は、図５に示すように、中心部分に天井穴１６を備える円形の端板４５と、端板４５の外周縁から上方に延びる内側環状壁４６と、内側環状壁４６の上端縁から半径方向を外側に延びる円環状板部４７と、円環状板部４７の外周縁から上方に延びる外側環状壁（環状壁）４８を備えている。円環状板部４７と外側環状壁４８によって大径凹部４９が区画されており、端板４５の上面と内側環状壁４６の内周面によって大径凹部４９の内側に小径凹部５０が区画されている、ここで、小径凹部５０の底面、すなわち、端板４５の上面は、天井穴１６に向かって下側に傾斜するすり鉢状のテーパー面とされている。
【００２７】
外側環状壁４８には上方に延びる円柱形状のネジ締結部５１が等角度間隔で一体に形成されている。ネジ締結部５１は、４箇所に設けられており、その上端は外側環状壁４８の上端よりも上方に延びている。ネジ締結部５１には、モータ部３の固定部３５のネジ貫通穴３７およびフランジ２６のネジ貫通穴３８を介して上方から締結ネジ３６が捻じ込まれ、これにより、モータ部３とポンプ部２が締結される。モータ部３とポンプ部２とが締結された状態では、モータ部３と外側環状壁４８の間には隙間５２が形成される（図１、図２参照）。
【００２８】
上側ポンプケース４１において、外側環状壁４８の内側で当該外側環状壁４８に隣接する部位、すなわち、円環状板部４７の外周縁部分には、周方向に長い長穴５３が等角度間隔で形成されている。長穴５３は、周方向においてネジ締結部５１の間に位置する４箇所に設けられている。
【００２９】
下側ポンプケース４２は、図６に示すように、円環状の底板６１および底板６１の外周縁から上方に延びる外周壁６２を備える大径部６３と、底板６１の内周縁から下方に延びている吸引管８と、外周壁６２から側方に延びている吐出管９と、外周壁６２の上端縁から半径方向に延びる円環状のフランジ６４を備えている。大径部６３の開口縁部分には、Ｏリング４４が配置される円環状段部６５が設けられている。吐出管９は、外周壁６２の壁面部分に設けられた吐出口６６と連通している。
【００３０】
バヨネット機構４３は、図３乃至図６に示すように、上側ポンプケース４１と下側ポンプケース４２を締結する締結部７１として、下側ポンプケース４２に設けられた係合突部７２と、上側ポンプケース４１に設けられた係合片７３を備えている。また、バヨネット機構４３は、上側ポンプケース４１と下側ポンプケース４２の相対角度位置を規定する位置決め用突部（位置決め部）７４を備えている。締結部７１（係合突部７２および係合片７３）は、等角度間隔で４箇所に設けられており、位置決め用突部７４は、これら４箇所の締結部７１のうちの一つの締結部７１に設けられている。
【００３１】
係合突部７２は下側ポンプケース４２のフランジ６４の側面から半径方向の外側に突出している。係合突部７２は一定厚さであり、その上面はフランジ６４の上端面と同一の平面上に位置している。係合突部７２と吐出管９は下側ポンプケース４２において軸線Ｌ回りの異なる角度位置に設けられている。ここで、係合突部７２の周方向の長さ寸法は、上側ポンプケース４１に設けられた長穴５３の周方向の長さ寸法よりも短い寸法とされている。周方向とは、上側ポンプケース４１と下側ポンプケース４２の締結時における相対回転方向である。また、４つの係合突部７２のうちの一つの係合突部７２には、周方向の一方の端部分に下方に突出する位置決め用突部７４が設けられている（図３（ｂ）、図６（ｂ）参照）。
【００３２】
係合片７３は、上側ポンプケース４１の外周縁から下側に延びる延設部７５と、延設部７５の下端から当該延設部７５と直交して半径方向を内側に延びる係合爪部７６を備えている。延設部７５は上側ポンプケース４１に設けられた長穴５３の外周側で外側環状壁４８と対応する位置に設けられている。係合爪部７６は、上側ポンプケース４１を軸線Ｌ方向から見たときに、長穴５３と重なる位置に突出している。また、係合片７３の周方向の長さ寸法は、長穴５３の周方向の長さ寸法よりも短い寸法とされており、係合爪部７６は周方向において長穴５３の中央部分に位置している。換言すれば、長穴５３は、軸線Ｌ方向から見たときに係合爪部７６と重なる部位を含み当該部位よりも周方向の両側に長く形成されている。従って、軸線Ｌ方向から見たときに、係合爪部７６の周方向の両側には、開口（長穴５３の周方向の端部分）５３ａが形成されている。
【００３３】
バヨネット機構４３によって上側ポンプケース４１と下側ポンプケース４２を締結する際には、下側ポンプケース４２の円環状段部６５にＯリング４４を配置し、しかる後に、上側ポンプケース４１と下側ポンプケース４２を軸線Ｌ方向で重ねる。より詳細には、係合突部７２と係合片７３を軸線Ｌ回りの異なる角度位置に配置して、上側ポンプケース４１の円環状端板４５の下端面に下側ポンプケース４２のフランジ６４の上端面を当接させる。その後、係合突部７２と係合片７３が同一の角度位置となるように上側ポンプケース４１と下側ポンプケース４２を軸線Ｌ回りに相対回転させて、係合突部７２と係合片７３を係合させる。そして、一つの係合突部７２に設けられている位置決め用突部７４と、当該係合突部７２に係合させられた係合片７３の係合爪部７６の端面とを周方向で当接させ、上側ポンプケース４１と下側ポンプケース４２を周方向で位置決めする。これにより、軸線Ｌ方向から見たときに、係合突部７２と係合片７３の係合爪部７６が重なり、係合片７３の延設部７５は係合突部７２の半径方向外側に位置し、係合爪部７６が係合突部７２の下面に当接する状態となる。
【００３４】
この結果、上側ポンプケース４１と下側ポンプケース４２は、上側ポンプケース４１の内側環状壁４６の下側部分がＯリング４４を介して下側ポンプケース４２のフランジ６４の内側に挿入された状態で締結される。また、この締結により、上側ポンプケース４１と下側ポンプケース４２によってポンプ室１４が区画される。すなわち、上側ポンプケース４１の端板４５がポンプ室１４の天井を規定し、下側ポンプケース４２の内側の空間がポンプ室１４となる。ポンプ室１４は、下側ポンプケース４２の大径部６３の内側に位置する大径ポンプ室部分７７と、吸引管８の内側に位置する小径ポンプ室部分７８を備える。
【００３５】
ここで、係合片７３および係合突部７２の周方向の長さ寸法は、いずれも上側ポンプケース４１に形成されている長穴５３の周方向の長さ寸法よりも短いので、係合突部７２と係合片７３を同一の角度位置に配置して上側ポンプケース４１と下側ポンプケース４２を締結した状態では、長穴５３の周方向の両端部分の開口５３ａが締結部７１（係合片７３および係合突部７２）によって塞がれることがない。従って、長穴５３の両端部分の開口５３ａは、上側ポンプケース４１にドレンＤが溢れたときにこのドレンＤを排出する排水穴７９となる。排水穴７９の上端開口は上側ポンプケース４１の環状壁の内側に位置しており、図２に示すように、水切り部材１３の環状板部１８よりも下方に位置している。排水穴７９の下端開口は下側ポンプケース４２の外周面（フランジ６４の側面）に隣接する位置に露出している。すなわち、排水穴７９の下端開口は下側ポンプケース４２によって塞がれていない。
【００３６】
（羽根車）
次に、図７を参照して羽根車１２を説明する。図７（ａ）は羽根車１２を上方から見た斜視図であり、図７（ｂ）は羽根車１２を下方から見た斜視図である。羽根車１２は、樹脂による一体成形品である。羽根車１２の羽根車本体１５は、大径ポンプ室部分７７に配置されている大径羽根車８１と、大径羽根車８１から同軸上の下方に延びて小径ポンプ室部分７８に配置されている小径羽根車８２を備えている。軸部１７は羽根車本体１５から同軸に延びている。また、軸部１７は、ポンプ室１４の天井穴１６を貫通してポンプケース１１の外側に突出しており、その上端は上側ポンプケース４１の小径凹部５０よりも上方に達する（図２参照）。
【００３７】
図７に示すように、大径羽根車８１は、軸部１７から半径方向を外側に向って延びている４枚の第１羽根板８３と、第１羽根板８３の間にそれぞれ配置されている４枚の第２羽根板８４と、軸部１７と同軸に配置され、第１羽根板８３および第２羽根板８４の外周側の端を連結している一定高さの円環状板８５と、軸部１７と同軸で、軸部１７と円環状板の間に配置されている円環状部８６を備えている。第１および第２羽根板８３、８４は軸線Ｌ方向に沿って延びている。４枚の第１羽根板８３は９０°の角度間隔で配置されている。４枚の第２羽根板８４は、９０°の角度間隔で配置されており、隣接する第１羽根板８３との角度間隔は４５°となっている。また、４枚の第２羽根板８４は、それぞれ円環状部８６から半径方向を外側に向って延びている。小径羽根車８２は、中心から半径方向を外側に向って延びている４枚の第３羽根板８７を備えている。第３羽根板８７は、軸線Ｌ方向で第１羽根車１２と連続している。
【００３８】
（ドレンポンプの動作）
図８はドレンポンプ１の動作を説明するための説明図である。なお、図中の矢印はドレンＤの流れを示す。
【００３９】
ドレンパン１００のドレンＤが、ドレンパン１００の内側に配置されている吸引管８の吸引口１０よりも上方まで溜まると、ドレンポンプ１のモータ本体４が駆動される。これにより羽根車１２が回転すると、天井穴１６を介して空気がポンプ室１４内に導入されながら、ポンプ室１４内でドレンＤが攪拌され、これにより発生する遠心力によってドレンＤがポンプ室１４内に吸い上げられる。すなわち、ドレンＤは、ドレンパン１００から小径ポンプ室部分７８を介して大径ポンプ室部分７７に吸い上げられる（Ｄ１）。そして、大径ポンプ室部分７７の吐出口６６を介して、吐出管９から吐き出される（Ｄ２）。吐出管９から吐き出されたドレンＤはドレン管１０１を介して室外に排出される。
【００４０】
ここで、モータ部３が停止して羽根車１２の回転が停止すると、ドレンＤはドレン管１０１の側からポンプ室１４に向って逆流する（Ｄ３）。この際に、逆流したドレンＤの多くは吸引管８を介してドレンパン１００に戻るが（Ｄ４）、その一部が天井穴１６を介してポンプ室１４の上方に溢れ出すことがある。例えば、吐出管９に接続されているドレン管１０１が長く、ドレン管１０１の排出口がドレンポンプ１よりも上方に配置されている場合や、ドレン管１０１において排出口に至る途中部分がドレンポンプ１よりも上方に配置されている場合には、ドレン管１０１内のドレンＤが勢いよくポンプ室１４に向って逆流することがあり、この場合には、逆流するドレンＤの一部が天井穴１６から上方に溢れ出す（Ｄ５）。
【００４１】
このような場合に、天井穴１６から上方に溢れたドレンＤは、水切り部材１３にぶつかって下方に戻され、ポンプ室１４の上方に区画されている小径凹部５０に溜められる。小径凹部５０に溜まったドレンＤは再び天井穴１６からポンプ室１４を経てドレンパン１００に戻る。また、小径凹部５０から大径凹部４９の側（外側環状壁４８の内側の空間）に溢れて溜まろうとするドレンＤは、排水穴７９を介して下側ポンプケース４２の外側に流れ出し、下側ポンプケース４２の外周面を伝わって、ドレンパン１００に排出される（Ｄ６）。ここで、排水穴７９を介して排出されるドレンＤは、下側ポンプケース４２の外周面を伝わるので、ドレンパン１００よりも外側に飛散することがなく、ドレンＤがドレンパン１００に落下する際の音も小さくなる。
【００４２】
なお、逆流するドレンＤの量が更に多く、天井穴１６から溢れたドレンＤが外側環状壁４８の内側の大径凹部４９内に収まりきらない場合も想定されるが、このような場合には、収まりきらないドレンＤは外側環状壁４８の上端とモータ本体４の間の隙間５２から外側に排出される（Ｄ７）。従って、ドレンＤがモータ本体４を濡らすことが抑制される。
【００４３】
（作用効果）
本例によれば、上側ポンプケース４１には外側環状壁４８が形成されているので、上側ポンプケース４１の剛性を確保することができる。また、外側環状壁４８は天井穴１６を包囲するように形成されているので、ポンプ室１４の側で発生して外部に漏れるポンプ音を抑制することができる。
【００４４】
また、ドレン管１０１の側から逆流したドレンＤが天井穴１６から上方に溢れ出したときに外側環状壁４８の内側に溜まるドレンＤは、排水穴７９を介して下側ポンプケース４２の外側に排出される。この結果、外側環状壁４８の内側に溜まるドレンＤの水面が外側環状壁４８の上端位置に接近することを抑制できるので、ドレンＤがポンプケース１１の上方に位置するモータ本体４に接近することを抑制できる。従って、モータ本体４が濡れてしまうことを抑制でき、モータ本体４が濡れることに起因する漏電やモータ部３の動作不良を回避できる。
【００４５】
さらに、本例では、上側ポンプケース４１と下側ポンプケース４２は、バヨネット機構４３によって着脱可能に締結されているので、これらの着脱が容易である。従って、例えば、ポンプ室１４内にゴミなどが体積した場合でも、これらを除去することが容易となる。
【００４６】
また、バヨネット機構４３によって上側ポンプケース４１と下側ポンプケース４２を締結しているので、上側ポンプケース４１と下側ポンプケース４２を締結する際に、これらの相対角度位置を変更することにより、吐出管９の突出方向を適宜に変更することができる。さらに、バヨネット機構４３は、１周（３６０°）を締結部７１の数で割った角度の半分以下の角度だけ上側ポンプケース４１と下側ポンプケース４２を相対移動させることにより両者を締結できる。本例では、上側ポンプケース４１と下側ポンプケース４２を４５°だけ相対移動させることにより締結できる。従って、上側ポンプケース４１と下側ポンプケース４２の締結時に、吐出管９の移動軌跡を小さく抑えることができる。この結果、エアコンの室内ユニット内のドレンポンプ１の設置箇所において、上側ポンプケース４１と下側ポンプケース４２を着脱するための作業スペースを小さく抑えることができる。
【００４７】
次に、本例によれば、上側ポンプケース４１に排水穴７９を形成するための金型の構成を簡略にすることができる。図９は、上側ポンプケース４１を成形する金型において、係合片７３を形成するための突出部分のみを取り出して示した説明図である。
【００４８】
より具体的には、本例の上側ポンプケース４１は軸線Ｌ方向で上下に２分割された金型を用いて形成されるが、上側ポンプケース４１が下方に延びる延設部７５と延設部７５の下端から半径方向内側に延びる係合爪部７６を備える係合片７３を有しているので、上側に配置される金型にはこの係合片７３を形成するために下方に突出する突出部分１０３が設けられ、当該突出部分１０３の外周面１０３ａおよび下面１０３ｂが、それぞれ係合片７３の延設部７５の内周面７５ａと係合爪部７６の上面７６ａを形成する。そして、この金型の突出部分１０３は、上側ポンプケース４１において軸線Ｌ方向から見たときに係合爪部７６と重なる部位に貫通穴を形成する。従って、金型におけるこの突出部分１０３を係合片７３に対応する形状よりも周方向に長い形状としておくだけで、上側ポンプケース４１に、周方向において係合片７３よりも長い寸法の貫通穴（長穴５３）を形成することができる。そして、この貫通穴において、係合片７３から外れている端部の開口（開口５３ａ）を排水穴７９とすることができる。
【００４９】
また、本例では、バヨネット機構４３が等角度間隔で複数の締結部７１を備え、各締結部７１に隣接する位置に排水穴７９が設けられている。この結果、排水穴７９が全周に渡って離間して設けられるので、ドレンポンプ１が傾斜して設置されている場合でも、外側環状壁４８内に溜まるドレンＤを排水穴７９から排出することが容易である。
【００５０】
さらに、上側ポンプケース４１と下側ポンプケース４２の相対角度位置を規定するための位置決め用突部７４が係合突部７２の相対回転方向の一方の端部分から下方に突出して、係合片７３の係合爪部７６と周方向で当接するように設けられているので、位置決め用突部７４を設けることによって排水穴７９が塞がれたり、排水穴７９の形成が困難となったりすることがない。
【００５１】
また、位置決め用突部７４は、全ての係合突部７２に設けられているのではなく、一つの係合突部７２に設けられているだけなので、位置決め用突部７４が設けられていない係合突部７２では、係合突部７２および係合片７３の周方向の寸法を短くして排水穴７９の開口５３ａ面積を広くした場合でも、係合突部７２と係合片７３係合片７３の係合幅を長く確保して、バヨネット機構４３による締結を確実なものとすることができる。
【００５２】
さらに、本例では、排水穴７９と、吐出管９とは、軸線Ｌ回りの異なる角度位置に配置されているので、排水穴７９から下側ポンプケース４２の外側に排出されたドレンＤが、吐出管９を伝ってドレンパン１００の外側に達してしまうことを防止できる。
【００５３】
また、本例では、排水穴７９の上端開口は水切り部材１３の環状板部１８よりも下方に位置しているので、天井穴１６から上方に溢れ出すドレンＤがモータ本体４の側に飛散することを抑制しながら、ドレンＤを排水穴７９から排出できる。従って、モータ本体４が濡れてしまうことを抑制でき、モータ本体４が濡れることに起因する漏電やモータ部３の動作不良、出力軸５の錆びなどを防止できる。
【００５４】
（その他の実施の形態）
上記の例では、バヨネット機構４３の位置決め突部は係合突部７２の側に設けられているが、係合突部７２と周方向で当接可能な位置決め用突部を係合片７３の側に設けてもよい。この場合には、係合片７３に位置決め用突部７４を設けることによって係合片７３に隣接する一方の側に開口５３ａを設けることが困難となるので、上記の例と同様に、複数の係合片７３のうちの一つの係合片７３のみに位置決め用突部を設けることが望ましい。
【００５５】
また、上記の例では、排水穴７９は、上側ポンプケース４１においてバヨネット機構４３の締結部７１に隣接する位置に設けられているが、排水穴は締結部７１から離れた位置に設けられていてもよい。すなわち、ドレンを排出するための排水穴は、ポンプ室１４の外側で上側ポンプケース４１を上下方向に貫通しているものであり、上端開口が外側環状壁４８の内側にあり、下端開口が下側ポンプケース４２から外側に露出していればどのような部位に形成されていてもよい。なお、この場合に、排水穴を等角度間隔に設けておけば、ドレンポンプ１が傾斜して設置されていても、外側環状壁４８内に溜まるドレンＤを排水穴７９から排出することが容易である。
【符号の説明】
【００５６】
１     ドレンポンプ
３     モータ部
４     モータ本体
５     出力軸
９     吐出管
１１   ポンプケース
１２   羽根車
１４   ポンプ室
１５   羽根車本体
１６   天井穴
１７   軸部
４１   上側ポンプケース（上ケース）
４２   下側ポンプケース（下ケース）
４３   バヨネット機構
４８   外側環状壁（環状壁）
５３   長穴
５３ａ 開口（上端開口、下端開口）
７１   締結部
７２   係合突部
７３   係合片
７４   位置決め用突部（位置決め部）
７５   延設部
７６   係合爪部
７９   排水穴
Ｌ     軸線
【図１】
2013177864.tif 000003
【図２】
2013177864.tif 000004
【図３】
2013177864.tif 000005
【図４】
2013177864.tif 000006
【図５】
2013177864.tif 000007
【図６】
2013177864.tif 000008
【図７】
2013177864.tif 000009
【図８】
2013177864.tif 000010
【図９】
2013177864.tif 000011